(57)【要約】【課題】広告提供によるユーザへの悪影響を抑制しつつ、採算化を容易に実現することが可能な情報処理装置、情報処理方法及びプログラムを提供する。【解決手段】目的地までの経路探索を行い、探索結果に応じて誘導経路を案内するナビゲーション処理を実行する。また、ナビゲーション処理の処理モードに基づいて、広告の出力態様を決定する決定手段（制御部２１）と、決定手段により決定された出力態様に基づいて、広告を提供する提供手段（制御部２１）と、を備える。【選択図】図１
2018044930.tif 000002
【特許請求の範囲】
【請求項１】
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
を備えることを特徴とする情報処理装置。
【請求項２】
前記決定手段は、前記処理モードがシミュレーションモードであった場合に、本番モードであった場合よりも多量の広告を出力させるよう決定することを特徴とする請求項１に記載の情報処理装置。
【請求項３】
前記決定手段は、前記処理モードに基づいて、出力する広告の種類を決定することを特徴とする請求項１又は２に記載の情報処理装置。
【請求項４】
前記決定手段は、前記処理モードに基づいて、広告を出力するタイミングを決定することを特徴とする請求項１〜３のいずれか一項に記載の情報処理装置。
【請求項５】
前記決定手段は、前記処理モードが本番モードであった場合に、事前のシミュレーションモード時に前記提供手段により提供された広告に対するユーザ操作に基づいて、出力する広告の内容を決定することを特徴とする請求項１〜４のいずれか一項に記載の情報処理装置。
【請求項６】
前記処理モードが本番モードであった場合に、事前のシミュレーションモード時に前記提供手段により提供された広告に対するユーザ操作に基づいて、前記広告に係る場所を経由地として設定する経由地設定手段を備えることを特徴とする請求項１〜５のいずれか一項に記載の情報処理装置。
【請求項７】
前記決定手段は、前記処理モードがシミュレーションモードであった場合に、前記シミュレーションモードの条件に基づいて広告の出力態様を決定することを特徴とする請求項１〜６のいずれか一項に記載の情報処理装置。
【請求項８】
目的地までの経路探索を行い、探索結果に応じて誘導経路を案内するナビゲーション処理を実行する情報処理装置の情報処理方法において、
前記ナビゲーション処理の処理モードに基づいて、広告の出力態様を決定するステップと、
前記決定された出力態様に基づいて、前記広告を提供するステップと、
を含む情報処理方法。
【請求項９】
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
として機能させるためのプログラム。
【発明の詳細な説明】
【技術分野】
【０００１】
本発明は、情報処理装置、情報処理方法及びプログラムに関する。
【背景技術】
【０００２】
従来、目的地までの経路探索を行い、探索結果に応じて誘導経路を案内するナビゲーション機能を、車両に搭載された端末装置と協働して実現する情報処理装置が提案されている。近年では、上記のナビゲーション機能を実現する情報処理装置の分野において、製品代で費用を回収する専用機とは別に、汎用的情報機器であるスマートデバイス（スマートフォン、タブレットＰＣなど）等に上記のナビゲーション機能を実現するためのアプリケーションを実装したものが知られている。
【０００３】
汎用的情報機器を利用したナビゲーション技術を無料又は低コストで提供しようとする場合、採算化（マネタイズ）の一環として、汎用的情報機器から音声広告を出力させる方法が考えられる。
音声広告の一例としては、例えば、経路案内する際に同時に店舗情報を音声広告として音声報知し、当該音声広告の広告主から広告料を徴収することで、情報提供料を低減可能とした技術が開示されている（例えば、特許文献１参照）。
【先行技術文献】
【特許文献】
【０００４】
【特許文献１】特開２００４−１０８９８５号公報
【発明の概要】
【発明が解決しようとする課題】
【０００５】
一般に、ナビゲーション機能を利用して運転中のドライバは、進行方向などの誘導案内や渋滞情報など運転に関連した情報（所謂ナビ音声）を聞き漏らさないように、聴覚に注意を払っている。
しかしながら、上記特許文献１記載の技術は、ナビ音声を出力しつつ突然音声広告を出力する構成であるため、ナビ音声に集中しているドライバに不快感を与えたり集中を阻害して運転を妨げたりする虞があり、問題となっている。
【０００６】
本発明は、広告提供によるユーザへの悪影響を抑制しつつ、採算化を容易に実現することが可能な情報処理装置、情報処理方法及びプログラムを提供することを目的とする。
【課題を解決するための手段】
【０００７】
請求項１に記載の発明は、上記目的を達成するためになされたものであり、
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
を備えることを特徴とする。
【０００８】
請求項２に記載の発明は、請求項１に記載の情報処理装置において、
前記決定手段は、前記処理モードがシミュレーションモードであった場合に、本番モードであった場合よりも多量の広告を出力させるよう決定することを特徴とする。
【０００９】
請求項３に記載の発明は、請求項１又は２に記載の情報処理装置において、
前記決定手段は、前記処理モードに基づいて、出力する広告の種類を決定することを特徴とする。
【００１０】
請求項４に記載の発明は、請求項１〜３のいずれか一項に記載の情報処理装置において、
前記決定手段は、前記処理モードに基づいて、広告を出力するタイミングを決定することを特徴とする。
【００１１】
請求項５に記載の発明は、請求項１〜４のいずれか一項に記載の情報処理装置において、
前記決定手段は、前記処理モードが本番モードであった場合に、事前のシミュレーションモード時に前記提供手段により提供された広告に対するユーザ操作に基づいて、出力する広告の内容を決定することを特徴とする。
【００１２】
請求項６に記載の発明は、請求項１〜５のいずれか一項に記載の情報処理装置において、
前記処理モードが本番モードであった場合に、事前のシミュレーションモード時に前記提供手段により提供された広告に対するユーザ操作に基づいて、前記広告に係る場所を経由地として設定する経由地設定手段を備えることを特徴とする。
【００１３】
請求項７に記載の発明は、請求項１〜６のいずれか一項に記載の情報処理装置において、
前記決定手段は、前記処理モードがシミュレーションモードであった場合に、前記シミュレーションモードの条件に基づいて広告の出力態様を決定することを特徴とする。
【００１４】
請求項８に記載の発明は、
目的地までの経路探索を行い、探索結果に応じて誘導経路を案内するナビゲーション処理を実行する情報処理装置の情報処理方法において、
前記ナビゲーション処理の処理モードに基づいて、広告の出力態様を決定するステップと、
前記決定された出力態様に基づいて、前記広告を提供するステップと、
を含む情報処理方法である。
【００１５】
請求項９に記載の発明は、
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
として機能させるためのプログラムである。
【発明の効果】
【００１６】
本発明によれば、広告提供によるユーザへの悪影響を抑制しつつ、採算化を容易に実現することができる。
【図面の簡単な説明】
【００１７】
【図１】本実施形態に係る情報処理システムを構成する各装置の主制御構成を示すブロック図である。
【図２】本実施形態に係る情報処理システムの動作の一例を示すフローチャートである。
【図３】処理モード毎の広告の出力態様を管理するテーブルの一例を示す図である。
【図４】広告配信サーバから送信された広告情報に基づく広告を出力した様子の一例を示す図である。
【図５】処理モード毎の広告の出力態様を管理するテーブルの他の例を示す図である。
【図６】各処理モードにおいて地点毎に出力させる広告の一例を概念的に示す図である。
【発明を実施するための形態】
【００１８】
以下、本発明の実施の形態について、図面を参照して詳細に説明する。
【００１９】
［１．構成の説明］
以下、図面を参照しながら、この発明の一実施形態について詳しく説明する。
［１−１．システム構成の説明］
まず、本実施形態に係る情報処理システム１の構成について説明する。
情報処理システム１は、図１に示すように、ナビゲーションサーバ（以下ナビサーバと称する）１０と、情報処理装置としての広告配信サーバ２０と、車両Ｃに搭載された端末装置３０と、を備えて構成されている。情報処理システム１を構成する各装置は、通信ネットワークＮに接続される。通信ネットワークＮは、具体的には、インターネットや電気通信事業者等の電話回線網や携帯電話通信網等である。
【００２０】
ナビサーバ１０は、例えば、ＰＣ、ＷＳ（Work Station）等の情報機器であり、端末装置３０から通信ネットワークＮを介して送信されてきたプローブ情報が集積されるようになっている。ナビサーバ１０は、１台で構成されるものとするが、これに限定されるものではなく、複数台の装置から構成されるものとしてもよい。
【００２１】
広告配信サーバ２０は、例えば、ＰＣ、ＷＳ等の情報機器であり、端末装置３０に対し、通信ネットワークＮを介して広告を配信する。広告配信サーバ２０は、１台で構成されるものとするが、これに限定されるものではなく、複数台の装置から構成されるものとしてもよい。
【００２２】
端末装置３０は、スマートフォンやタブレットなどのスマートデバイス、携帯電話機等の各ユーザが所持して使用する携帯型端末機器である。端末装置３０には、目的地までの経路探索を行い、探索結果に応じて誘導経路を案内するカーナビの機能を実現するアプリケーション（以下、カーナビアプリと称する）がインストールされている。また、端末装置３０は、通信ネットワークＮ（具体的には、端末装置３０の通信回線や無線ＬＡＮ（Local Area Network）等）を用いて、ナビサーバ１０又は広告配信サーバ２０との間で相互に通信を行う。
【００２３】
［１−２．ナビサーバの構成の説明］
次に、ナビサーバ１０の構成について説明する。
ナビサーバ１０は、制御部１１と、操作部１２と、表示部１３と、記憶部１４と、通信部１５と、を備えて構成されている。
【００２４】
制御部１１は、ナビサーバ１０の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、ナビサーバ１０の各部を統括制御する。
【００２５】
操作部１２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部１１へと出力する。
表示部１３は、例えば、ＬＣＤ（Liquid Crystal Display）などのディスプレイを備え、制御部１１から出力された表示制御信号に基づいた画像を表示画面に表示する。
【００２６】
記憶部１４は、例えば、ＨＤＤ（Hard Disk Drive）、半導体メモリなどにより構成され、プログラムデータや各種設定データ等のデータを制御部１１から読み書き可能に記憶する。
また、記憶部１４は、地図データ、音声データ等を格納している。地図データには、例えば、広域をカバーした地図情報（複数縮尺に対応）、道路情報、施設、海、川等の各種シンボル情報等が記憶されている。また、音声データには、例えば、経路案内に必要な、単語や文節等からなるメッセージのデータ等が予め記憶されている。
【００２７】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。
【００２８】
［１−３．広告配信サーバの構成の説明］
次に、広告配信サーバ２０の構成について説明する。
広告配信サーバ２０は、制御部２１と、操作部２２と、表示部２３と、記憶部２４と、通信部２５と、を備えて構成されている。
【００２９】
制御部２１は、広告配信サーバ２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、広告配信サーバ２０の各部を統括制御する。
例えば、制御部２１は、ナビゲーション処理の処理モードに基づいて決定された出力態様に基づいて広告を抽出し、通信部２５を介して端末装置３０に送信する。
【００３０】
操作部２２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部２１へと出力する。
表示部２３は、例えば、ＬＣＤなどのディスプレイを備え、制御部２１から出力された表示制御信号に基づいた画像を表示画面に表示する。
【００３１】
記憶部２４は、例えば、ＨＤＤ、半導体メモリなどにより構成され、プログラムデータや各種設定データ等のデータを制御部２１から読み書き可能に記憶する。
また、記憶部２４は、端末装置３０に配信する広告を記憶する。さらに、記憶部２４は、処理モード毎の広告の出力態様を管理するテーブルＴ１（図３参照）を記憶する。
【００３２】
通信部２５は、通信用ＩＣ及び通信コネクタなどを有する通信インターフェイスであり、制御部２１の制御の下、所定の通信プロトコルを用いて通信ネットワークＮを介したデータ通信を行う。
【００３３】
［１−４．端末装置の構成の説明］
次に、端末装置３０の構成について説明する。
端末装置３０は、制御部３１と、操作部３２と、表示部３３と、音声出力部３４と、音声入力部３５と、記憶部３６と、現在位置検出部３７と、通信部３８と、を備えて構成されている。
【００３４】
制御部３１は、端末装置３０の動作を中央制御する。具体的には、制御部３１は、ＣＰＵ、ＲＯＭ、ＲＡＭなどを備えて構成され、ＲＡＭの作業領域に展開されたＲＯＭや記憶部３６に記憶されたプログラムデータとＣＰＵとの協働により、端末装置３０の各部を統括制御する。
【００３５】
例えば、制御部３１は、記憶部３６に記憶されたカーナビアプリを実行することにより、ナビサーバ１０と協働して、カーナビの機能を実現する。具体的には、制御部３１は、ドライバによりカーナビアプリが起動され目的地が設定されると、当該目的地情報及び現在位置検出部３７により検出された現在位置情報を、通信部３８を介してナビサーバ１０に送信する。次に、ナビサーバ１０の制御部１１は、端末装置３０から送信された目的地情報及び現在位置情報に基づいて経路探索処理を行い、経路探索結果（誘導経路を案内するための情報を含む）を地図データ及び音声データとともに、通信部１５を介して端末装置３０に送信する。次に、端末装置３０の制御部３１は、経路探索結果を、表示部３３に表示させるとともに、音声出力部３４から音声出力させる。これにより、カーナビの機能が実現される。
また、制御部３１は、実際に車両Ｃが走行した位置や車速などの走行情報に基づいてプローブ情報を随時生成する。そして、制御部３１は、生成したプローブ情報を、通信部３８を介して随時ナビサーバ１０に送信する。
【００３６】
操作部３２は、例えば、ホームボタン等からなるキー入力部と、表示部３３と一体的に形成されたタッチパネルと、を備え、ドライバからの操作入力を受け付けて、操作入力に応じた操作信号を制御部３１へと出力する。
表示部３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。例えば、表示部３３は、制御部３１から出力された表示用データ（地図データ等）に基づいて、各種情報（例えば、地図画面やアイコン、経路案内等のナビゲーション用の表示情報、自車の現在位置を示す自車マーク等）を表示する。
【００３７】
音声出力部３４は、Ｄ／Ａ変換器、アンプ、スピーカ等を備えて構成され、制御部３１から出力された音声データをアナログの音声信号に変換して音声出力する。
音声入力部３５は、マイク、Ａ／Ｄ変換器等を備えて構成され、マイクを介して音声入力を受け付け、アナログの音声信号をデジタルデータに変換して音声データを取得する。音声入力部３５は、ドライバが発した音声が入力される。
【００３８】
記憶部３６は、例えば、ＨＤＤ、半導体メモリなどにより構成され、プログラムデータや各種設定データ等のデータを制御部３１から読み書き可能に記憶する。
【００３９】
現在位置検出部３７は、ＧＰＳモジュール、自律航法ユニット等を備えて構成されている。ＧＰＳモジュールは、ＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて車両Ｃの絶対的な現在位置（緯度、経度）を検出して、制御部３１に出力する。
自律航法ユニットは、角度センサ、距離センサ等を備える。角度センサは、車の角速度（単位時間あたりの水平方向への回転角度）を検出して、移動方位の変化量を算出する。距離センサは、車輪の回転に応じて出力されるパルス信号を検出して、車両Ｃの移動量を算出する。自律航法ユニットは、これら角速度信号および車速パルス信号により、車両Ｃの相対的な位置変化を算出して制御部３１に出力する。
【００４０】
通信部３８は、アンテナや通信回路を備え、制御部３１による制御の下で外部機器との間の無線通信を行う。具体的には、通信部３８は、基地局で中継されることで、通信ネットワークＮを介してデータ通信を行う。
【００４１】
［２．動作の説明］
次に、本実施形態に係る情報処理システム１の具体的な動作について、図２〜図４を参照して説明する。具体的には、広告配信サーバ２０の制御部２１が、ナビゲーション処理の処理モードに基づいて決定された出力態様に基づいて、端末装置３０に広告を提供する処理を説明する。この処理は、端末装置３０を所持するドライバによりカーナビアプリが起動されたことを契機として開始される。
【００４２】
まず、端末装置３０の制御部３１は、ナビゲーション処理の処理モードを判定する処理（処理モード判定処理）を行う（ステップＳ１０１）。具体的には、制御部３１は、ナビゲーション処理の処理モードが「シミュレーションモード」であるか「本番モード」であるかを判定する。ここで、シミュレーションモードとは、ドライバが実際に運転（移動）することなく、運転していると仮定してナビゲーション処理をシミュレーションするモードのことである。このシミュレーションモードにおいては、出発地や目的地のみならず、出発日時を入力して、より現実的なシミュレーションを実施するようにしてもよい。また、本番モードとは、ドライバが実際に運転した際にナビゲーション処理を行うモードのことである。
【００４３】
例えば、制御部３１は、ドライバによりシミュレーションモードを選択する操作が行われた場合、シミュレーションモードであると判定する。また、制御部３１は、ドライバにより本番モードを選択する操作が行われた場合、本番モードであると判定する。なお、ドライバによりシミュレーションモードを選択する操作が行われることなくナビゲーション処理が開始された場合、自動的に本番モードと判定するようにしてもよい。
【００４４】
次に、制御部３１は、ステップＳ１０１における判定結果に基づく判定情報を生成し、通信部３８より、ナビサーバ１０を介して又は直接広告配信サーバ２０に送信する（ステップＳ１０２）。ここで、判定情報とは、ステップＳ１０１の処理において判定された処理モードを広告配信サーバ２０に伝達するための情報のことである。
【００４５】
広告配信サーバ２０の制御部２１は、ステップＳ１０２で端末装置３０から送信された判定情報に基づいて、広告の出力態様を決定する（ステップＳ１０３）。例えば、処理モードがシミュレーションモードであった場合、広告の出力態様をシミュレーションモード用の出力態様に決定する。また、処理モードが本番モードであった場合、広告の出力態様を本番モード用の出力態様に決定する。ここで、広告の出力態様とは、例えば、広告の出力量、出力タイミング（出力契機）、出力内容、種類といった、広告の出力に係る種々の態様（条件）のことである。
【００４６】
次に、制御部２１は、ステップＳ１０３で決定された広告の出力態様と、端末装置３０からナビサーバ１０を介して又は直接送信された端末装置３０の位置情報と、に基づいて、広告の出力タイミングであるか否かを判定する（ステップＳ１０４）。なお、端末装置３０の位置情報は、定期的に所定間隔（例えば５秒間隔）で取得されている。ステップＳ１０４において、制御部２１は、例えば、端末装置３０の位置情報と、処理モード毎の広告の出力態様を管理するテーブルと、を照合して、広告の出力タイミングであるか否かを判定する。
【００４７】
図３に、処理モード毎の広告の出力態様を管理するテーブルの一例（テーブルＴ１）を示す。テーブルＴ１は、予め作成され、記憶部２４等に記憶されている。テーブルＴ１は、処理モード毎の広告の出力態様を識別可能に管理するための番号である管理番号Ｔ１１、広告を出力するタイミング（地点）を示す地点Ｔ１２、ナビゲーション処理の処理モードＴ１３、広告の名称を示す広告Ｔ１４のフィールドを有する。例えば、図３には、地点Ｔ１２「ａ地点」、処理モードＴ１３「シミュレーションモード」、広告Ｔ１４「音声広告Ａ１＋バナー広告Ｂ１」を、管理番号Ｔ１１「１」と関連付けたレコード等を含むテーブルＴ１が生成された例が示されている。テーブルＴ１の１番目のレコードからは、処理モードＴ１３が「シミュレーションモード」であり且つ端末装置３０の位置情報が示す地点Ｔ１２が「ａ地点」である場合に、抽出される広告Ｔ１４が「音声広告Ａ１＋バナー広告Ｂ１」である旨を読み取ることができる。
【００４８】
ステップＳ１０４において、制御部２１は、ステップＳ１０３で決定された広告の出力態様がシミュレーションモード用の出力態様であった場合、端末装置３０の位置情報が「ａ地点、ｂ地点、ｃ地点、ｄ地点」であった場合に、広告の出力タイミングであると判定する。また、制御部２１は、ステップＳ１０３で決定された広告の出力態様が本番モード用の出力態様であった場合、端末装置３０の位置情報が「ａ地点、ｄ地点」であった場合に、広告の出力タイミングであると判定する。
上記のように、本実施形態では、ナビゲーション処理の処理モードに基づいて、広告を出力するタイミングが決定される。即ち、制御部２１は、本発明の決定手段として機能する。
【００４９】
例えば、処理モードがシミュレーションモードの場合、広告出力がドライバの運転の妨げとはならないため、「伝統の和菓子、○○堂の角、右方向です」等、誘導案内出力毎に音声広告を出力させるようにしてもよいし、常時バナー広告を出力させるようにしてもよい。一方、処理モードが本番モードの場合、広告出力がドライバの運転の妨げとなるため、比較的支障の少ない状況（例えば、所定距離以上道なりの状況）下において、音声広告を出力させるようにしてもよい。なお、本番モードの場合であっても、例えば、渋滞時や信号待ち時等停車時であれば、広告出力がドライバの運転の妨げとはならないため、バナー広告を出力させるようにしてもよい。
【００５０】
制御部２１は、広告の出力タイミングであると判定した場合（ステップＳ１０４：ＹＥＳ）、次のステップＳ１０５へと移行する。
一方、制御部２１は、広告の出力タイミングでないと判定した場合（ステップＳ１０４：ＮＯ）、ステップＳ１０８へと移行する。
【００５１】
次に、制御部２１は、テーブルＴ１を参照して上記の出力タイミングに基づく広告を抽出し、抽出した広告を端末装置３０より出力させるための広告情報を生成する（ステップＳ１０５）。例えば、制御部２１は、処理モードＴ１３が「シミュレーションモード」であり且つ端末装置３０の位置情報が示す地点Ｔ１２が「ａ地点」である場合に、「音声広告Ａ１＋バナー広告Ｂ１」を抽出して広告情報を生成する。また、制御部２１は、処理モードＴ１３が「本番モード」であり且つ端末装置３０の位置情報が示す地点Ｔ１２が「ａ地点」である場合に、「音声広告Ａ１＋バナー広告Ｂ１」を抽出して広告情報を生成する。
【００５２】
本実施形態では、図３に示すように、シミュレーションモードの場合、ａ地点〜ｄ地点において、「音声広告Ａ１、バナー広告Ｂ１、音声広告Ａ２、音声広告Ａ３、バナー広告Ｂ３、バナー広告Ｂ４」の６つの広告が出力される。一方、本番モードの場合、同じくａ地点〜ｄ地点において、「音声広告Ａ１、音声広告Ａ４」の２つの広告が出力される。即ち、本実施形態では、処理モードがシミュレーションモードであった場合に、本番モードであった場合よりも多量の広告を出力させるよう決定されている。
【００５３】
また、本実施形態では、図３に示すように、シミュレーションモードの場合、音声広告とバナー広告の２種類の広告が出力される。一方、本番モードの場合、音声広告のみが出力される。即ち、本実施形態では、ナビゲーション処理の処理モードに基づいて、出力する広告の種類が決定される。
【００５４】
次に、制御部２１は、ステップＳ１０５で生成された広告情報を、通信部２５を介して端末装置３０に送信する（ステップＳ１０６）。
制御部２１は、上記のステップＳ１０５及びステップＳ１０６の処理を行うことで、本発明の提供手段として機能する。
【００５５】
端末装置３０の制御部３１は、ステップＳ１０６で広告配信サーバ２０から送信された広告情報に基づく広告を出力させる（ステップＳ１０７）。例えば、制御部３１は、広告がバナー広告であった場合、当該バナー広告を表示部３３に表示させる。また、制御部３１は、広告が音声広告であった場合、当該音声広告を音声出力部３４から音声出力させる。
【００５６】
図４に、広告配信サーバ２０から送信された広告情報に基づく広告を出力した様子の一例を示す。図４（Ａ）は、シミュレーションモード時に広告を出力した様子の一例を示す図である。図４（Ｂ）は、本番モード時に広告を出力した様子の一例を示す図である。
【００５７】
シミュレーションモード時は、図４（Ａ）に示すように、経路Ｒ１上を走行する車両の車両位置Ｃ１が、広告の出力タイミングである「広告対象の店舗Ｍ１の手前」に差し掛かったときに、「○○ショップの先、左方向です！」との音声広告が音声出力部３４より音声出力されるとともに、「○○ショップ割引セール中！」とのバナー広告が表示部３３の下部に設けられた広告表示部Ｅ１に表示される。
また、本番モード時は、図４（Ｂ）に示すように、経路Ｒ１上を走行する車両の車両位置Ｃ１が、広告の出力タイミングである「広告対象の店舗Ｍ１の手前」に差し掛かったときに、「○○ショップの先、左方向です！」との音声広告が音声出力部３４より音声出力される。
【００５８】
上記のように、本実施形態では、同一の地点においても、ナビゲーション処理の処理モードにより、出力される広告の種類や量が異なるようになっている。
なお、音声広告やバナー広告の内容は、上記の例に限られず、例えば、音声広告において、「○○ショップの先、左方向です！」との音声に続けて「○○ショップで割引セールを実施しています！」等の音声を音声出力させるようにしてもよい。
【００５９】
広告配信サーバ２０の制御部２１は、ナビゲーション処理が終了したか否かを判定する（ステップＳ１０８）。例えば、制御部２１は、端末装置３０からナビサーバ１０を介して又は直接、目的地に到着した旨を示す情報を取得した場合に、ナビゲーション処理が終了したと判定する。
制御部２１は、ナビゲーション処理が終了したと判定した場合（ステップＳ１０８：ＹＥＳ）、処理を終了する。
一方、制御部２１は、ナビゲーション処理が終了していないと判定した場合（ステップＳ１０８：ＮＯ）、ステップＳ１０４へと移行して、再度、広告の出力タイミングであるか否かを判定する。
【００６０】
以上の処理により、ナビゲーション処理の処理モードに基づいて決定された出力態様に基づいて、端末装置３０に広告を提供することができる。
【００６１】
なお、上記実施形態では、ナビゲーション処理の処理モードとして、「シミュレーションモード」及び「本番モード」を例示して説明しているがこれに限定されるものではない。例えば、ナビゲーション処理の処理モードとして、「本番モード」と、本番モードにおける走行前にシミュレーションを実施する「事前シミュレーションモード」と、本番モードにおける走行後に本番時の走行を振り返る「事後レビューモード」と、を備えるようにしてもよい。事後レビューモードにおいては、ドライバ本人が事後的に実際の走行経路を再生して反芻する機能のみならず、ＳＮＳ上の友人等、他人に実際の走行経路を公開して評価を得たり共有したりする機能を提供することが可能である。なお、「事前シミュレーションモード」及び「事後レビューモード」は、いずれもナビゲーション処理をシミュレーションするモードであるので、本発明のシミュレーションモードに相当する。
【００６２】
図５に、処理モード毎の広告の出力態様を管理するテーブルの他の例（テーブルＴ２）を示す。テーブルＴ２は、予め作成され、記憶部２４等に記憶されている。テーブルＴ２は、テーブルＴ１と同様、管理番号Ｔ２１、地点Ｔ２２、処理モードＴ２３、広告Ｔ２４のフィールドを有する。例えば、図５には、地点Ｔ２２「ａ地点」、処理モードＴ２３「事前シミュレーションモード」、広告Ｔ２４「音声広告Ａ１＋バナー広告Ｂ１」を、管理番号Ｔ２１「１」と関連付けたレコード等を含むテーブルＴ２が生成された例が示されている。テーブルＴ２の１番目のレコードからは、処理モードＴ２３が「事前シミュレーションモード」であり且つ端末装置３０の位置情報が示す地点Ｔ２２が「ａ地点」である場合に、抽出される広告Ｔ２４が「音声広告Ａ１＋バナー広告Ｂ１」である旨を読み取ることができる。
【００６３】
図６に、各処理モードにおいて地点毎に出力させる広告の一例を概念的に示す。図６（Ａ）は、事前シミュレーションモード時に出力させる広告の一例を示す図である。図６（Ｂ）は、本番モード時に出力させる広告の一例を示す図である。図６（Ｃ）は、事後レビューモード時に出力させる広告の一例を示す図である。
【００６４】
事前シミュレーションモード時は、図６（Ａ）に示すように、「ａ地点」において「音声広告Ａ１＋バナー広告Ｂ１」、「ｂ地点」において「音声広告Ａ２」、「ｃ地点」において「音声広告Ａ３＋バナー広告Ｂ３」、「ｄ地点」において「バナー広告Ｂ４」、が出力される。
また、本番モード時は、図６（Ｂ）に示すように、「ａ地点」において「音声広告Ａ１」、「ｄ地点」において「音声広告Ａ４」、が出力される。
また、事後レビューモード時は、図６（Ｃ）に示すように、「ａ地点」において「音声広告Ａ１＋バナー広告Ｂ１」、「ｂ地点」において「音声広告Ａ２＋バナー広告Ｂ２」、「ｃ地点」において「音声広告Ａ３」、「ｄ地点」において「音声広告Ａ４」、が出力される。
【００６５】
上記のように、３つの処理モードを備える例であっても、同一の地点において、処理モードにより、出力される広告の種類や量が異なるようになっている。
【００６６】
［３．効果］
以上のように、本実施形態に係る情報処理装置（広告配信サーバ２０）は、ナビゲーション処理の処理モードに基づいて、広告の出力態様を決定する決定手段（制御部２１）と、決定手段により決定された出力態様に基づいて、広告を提供する提供手段（制御部２１）と、を備える。
従って、本実施形態に係る情報処理装置によれば、処理モード毎の広告提供の影響を勘案して広告を提供することができるので、ナビ音声に集中しているユーザ（ドライバ）に不快感を与えたり集中を阻害して運転を妨げたりすることを抑制することが可能となり、広告提供によるユーザへの悪影響を抑制することができる。また、広告提供によるユーザへの悪影響が小さい場合には、積極的に広告提供を行うことができるので、採算化を容易に実現することができる。
【００６７】
また、本実施形態に係る情報処理装置によれば、決定手段は、処理モードがシミュレーションモードであった場合に、本番モードであった場合よりも多量の広告を出力させるよう決定する。
従って、本実施形態に係る情報処理装置によれば、シミュレーションモード時は本番モード時に比べ広告提供によるユーザへの悪影響が小さいので、積極的に広告提供を行うことが可能となり、採算化を優先した広告提供を実施することができる。
【００６８】
また、本実施形態に係る情報処理装置によれば、決定手段は、処理モードに基づいて、出力する広告の種類を決定する。
従って、本実施形態に係る情報処理装置によれば、処理モード毎の広告提供の影響を勘案して出力する広告の種類を決定することができるので、例えば、広告提供によるユーザへの悪影響が大きい本番モード時には音声広告のみを出力させるようにし、広告提供によるユーザへの悪影響が小さいシミュレーションモード時には音声広告に加えてバナー広告を出力させる等、広告提供によるユーザへの悪影響の抑制と採算化との両立をバランスよく実施することができる。
【００６９】
また、本実施形態に係る情報処理装置によれば、決定手段は、処理モードに基づいて、広告を出力するタイミングを決定する。
従って、本実施形態に係る情報処理装置によれば、処理モード毎の広告提供の影響を勘案して広告を出力するタイミングを決定することができるので、例えば、広告提供によるユーザへの悪影響が大きい本番モード時には比較的支障の少ない状況下において音声広告を出力させるようにし、広告提供によるユーザへの悪影響が小さいシミュレーションモード時には誘導案内出力毎に音声広告を出力させる等、広告提供によるユーザへの悪影響の抑制と採算化との両立をバランスよく実施することができる。
【００７０】
以上、本発明に係る実施形態に基づいて具体的に説明したが、本発明は上記実施形態に限定されるものではなく、その要旨を逸脱しない範囲で変更可能である。
【００７１】
［４．変形例］
例えば、処理モードが本番モードであった場合に、事前シミュレーションモード時に提供された広告に対するユーザ操作（例えば、ユーザによるタップ操作）に基づいて、出力する広告の内容を決定するようにしてもよい。
具体的には、事前シミュレーションモード時に提供されてユーザにより操作された広告と同一カテゴリの広告を本番モード時に提供するようにしてもよい。例えば、事前シミュレーションモード時に「飲食店」の広告が提供され、ドライバ（ユーザ）によるタップ操作が行われた場合、本番モード時に同一カテゴリである「飲食店」の広告を提供するように決定してもよい。
また、事前シミュレーションモード時に提供されてユーザにより操作された広告がシリーズもの（連続的内容）の広告であった場合は、その続きの広告を本番モード時に提供するようにしてもよい。
【００７２】
以上のように、処理モードが本番モードであった場合に、事前のシミュレーションモード（事前シミュレーションモード）時に提供手段により提供された広告に対するユーザ操作に基づいて、出力する広告の内容を決定することで、本番モード時に提供する広告に対するユーザの興味関心を高めることができるので、販促効果の向上を期待することができる。
【００７３】
また、処理モードが本番モードであった場合に、事前シミュレーションモード時に提供された広告に対するユーザ操作（例えば、ユーザによるタップ操作）に基づいて、広告に係る場所を経由地（立寄り地点）として設定するようにしてもよい。この場合、広告配信サーバ２０の制御部２１は、本発明の経由地設定手段として機能する。ここで、広告に係る場所とは、例えば、広告対象の店舗の位置や、広告対象の店舗近傍の駐車場の位置等、広告対象の店舗へと立ち寄り可能とする場所のことである。
【００７４】
以上のように、処理モードが本番モードであった場合に、事前のシミュレーションモード（事前シミュレーションモード）時に提供手段により提供された広告に対するユーザ操作に基づいて、広告に係る場所を経由地として設定する経由地設定手段（制御部２１）を備えることで、ユーザがわざわざ設定操作を行うことなく容易に広告対象の店舗へと立ち寄ることができるので、ユーザの利便性に配慮しつつ販促効果の向上を期待することができる。
【００７５】
また、ドライバの興味関心を判別することを目的として、事前シミュレーションモード時にアンケート形式で好みの広告をタップ操作させるようにし、本番モード時にドライバの興味関心に沿う広告を提供するようにしてもよい。この場合、ドライバによるタップ操作を動機付けるために、例えば、タップ操作に対し広告対象の店舗で使える割引クーポンを提供するようにしてもよい。
【００７６】
また、処理モードがシミュレーションモードであった場合に、シミュレーションモードの条件（態様）に基づいて広告の出力態様を決定するようにしてもよい。ここで、シミュレーションモードの条件には、例えば、シミュレーションモードにおける移動速度、進行方向における誘導案内出力毎（即ち、曲がり角毎）に次の誘導案内出力場所までスキップするか否か（即ち、スキップ移動の有無）、等が挙げられる。
【００７７】
具体的には、シミュレーションモードにおける移動速度に基づいて広告の出力態様を決定するようにしてもよい。例えば、移動速度が等倍速（例えば、２時間の行程につき２時間で移動）の場合、音声広告を出力する時間的な余裕を確保することができるので、音声広告を出力させるようにしてもよい。また、移動速度が１０倍速（例えば、２時間の行程につき１２分で移動）の場合、移動速度が速すぎて音声広告を出力する時間的な余裕を確保することができないので、バナー広告を出力させるようにしてもよい。なお、バナー広告を出力させる場合、ユーザにバナー広告の内容を認識させる必要があるため、所定時間以上同一のバナー広告を表示させることが好ましい。
【００７８】
また、シミュレーションモードを実施する際に想定する実際の走行日時に基づいて広告の出力態様を決定するようにしてもよい。例えば、お昼前に出発地を出発する想定であった場合、昼食に関する広告に関心を示す確率が高いため、昼食を取れる場所（定食屋、コンビニ等）の広告を優先的に出力させるようにしてもよい。また、夕刻に出発地を出発する想定であった場合、夕食に関する広告に関心を示す確率が高いため、夕食を取れる場所（レストラン、居酒屋等）の広告を優先的に出力させるようにしてもよい。
また、シミュレーションモード時に提供した広告と同一又は関連する広告を、本番モード時に提供することで、ドライバが関心を示す確率をより高めることが可能となる。
【００７９】
以上のように、処理モードがシミュレーションモードであった場合に、シミュレーションモードの条件に基づいて広告の出力態様を決定することで、シミュレーションモードの条件に見合った適切な広告を提供することができるので、販促効果を十分に確保しつつ採算化を実現することができる。
【００８０】
また、ナビゲーション処理の処理モードに基づいて、出力するバナー広告のサイズを決定するようにしてもよい。例えば、処理モードがシミュレーションモードであった場合、広告出力がドライバの運転の妨げとはならないため、バナー広告のサイズを大きめに決定するようにしてもよい。一方、処理モードが本番モードの場合、広告出力がドライバの運転の妨げとなるため、シミュレーションモードの場合と比べ、バナー広告のサイズを小さめに決定するようにしてもよい。
【００８１】
また、上記実施形態では、カーナビ機能を利用するユーザ（ドライバ）の端末（端末装置３０）に広告を提供するようにしているが、これに限定されるものではない。例えば、徒歩のユーザに対し経路をナビゲーションする所謂「人ナビ」の機能を利用するユーザの端末に広告を提供するようにしてもよい。
【００８２】
また、上記実施形態では、端末装置３０にカーナビアプリを実装することでサービスを提供可能としているが、これに限定されるものではない。例えば、ＰＣサイトと上記の端末装置３０とでアカウント情報を共有して連携機能を持たせるようにしてもよい。これにより、事前シミュレーション時には、ＰＣの大きな画面でシミュレーションを実施できるようにし、そのシミュレーション情報を連携先の端末装置３０に送信することで、スムーズに本番モードへと移行できるようにしてもよい。
【００８３】
また、例えば、端末装置３０の表示部３３に表示されたバナー広告を表示部３３の外側にフリック操作した場合に、バナー広告を消去できるようにしてもよい。上記の構成の場合、フリック操作して消去したバナー広告に対しドライバの関心が薄いことが想定されるので、消去されなかった広告や消去順が遅かった広告を、ドライバの関心が強い広告であると見做し、出力優先度を上げるようにしてもよい。
【００８４】
また、上記実施形態では、ナビサーバ１０及び広告配信サーバ２０を別体の装置として例示して説明しているが、これに限定されるものではない。即ち、ナビサーバ１０及び広告配信サーバ２０を一体の装置として構成するようにしてもよい。
また、ナビサーバ１０及び広告配信サーバ２０の機能を、端末装置３０に備えるようにすれば、端末装置３０のみで本発明を実現することも可能である。
【００８５】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【００８６】
その他、ナビサーバ、広告配信サーバ及び端末装置を構成する各装置の細部構成及び各装置の細部動作に関しても、本発明の趣旨を逸脱することのない範囲で適宜変更可能である。
【符号の説明】
【００８７】
１  情報処理システム
１０  ナビサーバ
１１  制御部
１２  操作部
１３  表示部
１４  記憶部
１５  通信部
２０  広告配信サーバ（情報処理装置）
２１  制御部（決定手段、提供手段、経由地設定手段）
２２  操作部
２３  表示部
２４  記憶部
２５  通信部
３０  端末装置
３１  制御部
３２  操作部
３３  表示部
３４  音声出力部
３５  音声入力部
３６  記憶部
３７  現在位置検出部
３８  通信部
Ｃ  車両
Ｎ  通信ネットワーク
【図１】
2018044930.tif 000003
【図２】
2018044930.tif 000004
【図３】
2018044930.tif 000005
【図４】
2018044930.tif 000006
【図５】
2018044930.tif 000007
【図６】
2018044930.tif 000008
【手続補正書】
【提出日】平成29年3月17日(2017.3.17)
【手続補正１】
【補正対象書類名】明細書
【補正対象項目名】０００７
【補正方法】変更
【補正の内容】
【０００７】
請求項１に記載の発明は、上記目的を達成するためになされたものであり、
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
を備え、
前記決定手段は、前記処理モードが本番モードであった場合に、事前のシミュレーションモード時に前記提供手段により提供された広告に対するユーザ操作に基づいて、出力する広告の内容を決定することを特徴とする。
請求項２に記載の発明は、
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
前記処理モードが本番モードであった場合に、事前のシミュレーションモード時に前記提供手段により提供された広告に対するユーザ操作に基づいて、前記広告に係る場所を経由地として設定する経由地設定手段と、
を備えることを特徴とする。
請求項３に記載の発明は、
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
を備え、
前記決定手段は、前記処理モードがシミュレーションモードであった場合に、前記シミュレーションモードの条件に基づいて広告の出力態様を決定することを特徴とする。
【手続補正２】
【補正対象書類名】明細書
【補正対象項目名】０００８
【補正方法】変更
【補正の内容】
【０００８】
請求項４に記載の発明は、請求項１〜３のいずれか一項に記載の情報処理装置において、
前記決定手段は、前記処理モードがシミュレーションモードであった場合に、本番モードであった場合よりも多量の広告を出力させるよう決定することを特徴とする。
【手続補正３】
【補正対象書類名】明細書
【補正対象項目名】０００９
【補正方法】変更
【補正の内容】
【０００９】
請求項５に記載の発明は、請求項１〜４のいずれか一項に記載の情報処理装置において、
前記決定手段は、前記処理モードに基づいて、出力する広告の種類を決定することを特徴とする。
【手続補正４】
【補正対象書類名】明細書
【補正対象項目名】００１０
【補正方法】変更
【補正の内容】
【００１０】
請求項６に記載の発明は、請求項１〜５のいずれか一項に記載の情報処理装置において、
前記決定手段は、前記処理モードに基づいて、広告を出力するタイミングを決定することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項７に記載の発明は、
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードが本番モードであった場合に、事前のシミュレーションモード時に前記提供手段により提供された広告に対するユーザ操作に基づいて、出力する広告の内容を決定することを特徴とする情報処理方法である。
請求項８に記載の発明は、
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
前記情報処理装置の制御部が、前記処理モードが本番モードであった場合に、事前のシミュレーションモード時に前記提供ステップで提供された広告に対するユーザ操作に基づいて、前記広告に係る場所を経由地として設定する経由地設定ステップと、
を含む情報処理方法である。
請求項９に記載の発明は、
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードがシミュレーションモードであった場合に、前記シミュレーションモードの条件に基づいて広告の出力態様を決定することを特徴とする情報処理方法である。
【手続補正９】
【補正対象書類名】明細書
【補正対象項目名】００１５
【補正方法】変更
【補正の内容】
【００１５】
請求項１０に記載の発明は、
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
として機能させ、
前記決定手段は、前記処理モードが本番モードであった場合に、事前のシミュレーションモード時に前記提供手段により提供された広告に対するユーザ操作に基づいて、出力する広告の内容を決定することを特徴とするプログラムである。
請求項１１に記載の発明は、
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
前記処理モードが本番モードであった場合に、事前のシミュレーションモード時に前記提供手段により提供された広告に対するユーザ操作に基づいて、前記広告に係る場所を経由地として設定する経由地設定手段、
として機能させるためのプログラムである。
請求項１２に記載の発明は、
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
として機能させ、
前記決定手段は、前記処理モードがシミュレーションモードであった場合に、前記シミュレーションモードの条件に基づいて広告の出力態様を決定することを特徴とするプログラムである。
【手続補正１０】
【補正対象書類名】特許請求の範囲
【補正対象項目名】全文
【補正方法】変更
【補正の内容】
【特許請求の範囲】
【請求項１】
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
を備え、
前記決定手段は、前記処理モードが本番モードであった場合に、事前のシミュレーションモード時に前記提供手段により提供された広告に対するユーザ操作に基づいて、出力する広告の内容を決定することを特徴とする情報処理装置。
【請求項２】
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
前記処理モードが本番モードであった場合に、事前のシミュレーションモード時に前記提供手段により提供された広告に対するユーザ操作に基づいて、前記広告に係る場所を経由地として設定する経由地設定手段と、
を備えることを特徴とする情報処理装置。
【請求項３】
目的地までの経路探索を行い、探索結果に応じて誘導経路を案内するナビゲーション処理を実行する情報処理装置において、
前記ナビゲーション処理の処理モードに基づいて、広告の出力態様を決定する決定手段と、
前記決定手段により決定された出力態様に基づいて、前記広告を提供する提供手段と、
を備え、
前記決定手段は、前記処理モードがシミュレーションモードであった場合に、前記シミュレーションモードの条件に基づいて広告の出力態様を決定することを特徴とする情報処理装置。
【請求項４】
前記決定手段は、前記処理モードがシミュレーションモードであった場合に、本番モードであった場合よりも多量の広告を出力させるよう決定することを特徴とする請求項１〜３のいずれか一項に記載の情報処理装置。
【請求項５】
前記決定手段は、前記処理モードに基づいて、出力する広告の種類を決定することを特徴とする請求項１〜４のいずれか一項に記載の情報処理装置。
【請求項６】
前記決定手段は、前記処理モードに基づいて、広告を出力するタイミングを決定することを特徴とする請求項１〜５のいずれか一項に記載の情報処理装置。
【請求項７】
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードが本番モードであった場合に、事前のシミュレーションモード時に前記提供手段により提供された広告に対するユーザ操作に基づいて、出力する広告の内容を決定することを特徴とする情報処理方法。
【請求項８】
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
前記情報処理装置の制御部が、前記処理モードが本番モードであった場合に、事前のシミュレーションモード時に前記提供ステップで提供された広告に対するユーザ操作に基づいて、前記広告に係る場所を経由地として設定する経由地設定ステップと、
を含む情報処理方法。
【請求項９】
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードがシミュレーションモードであった場合に、前記シミュレーションモードの条件に基づいて広告の出力態様を決定することを特徴とする情報処理方法。
【請求項１０】
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
として機能させ、
前記決定手段は、前記処理モードが本番モードであった場合に、事前のシミュレーションモード時に前記提供手段により提供された広告に対するユーザ操作に基づいて、出力する広告の内容を決定することを特徴とするプログラム。
【請求項１１】
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
前記処理モードが本番モードであった場合に、事前のシミュレーションモード時に前記提供手段により提供された広告に対するユーザ操作に基づいて、前記広告に係る場所を経由地として設定する経由地設定手段、
として機能させるためのプログラム。
【請求項１２】
目的地までの経路探索を行い、探索結果に応じて誘導経路を案内するナビゲーション処理を実行する情報処理装置のコンピュータを、
前記ナビゲーション処理の処理モードに基づいて、広告の出力態様を決定する決定手段、
前記決定手段により決定された出力態様に基づいて、前記広告を提供する提供手段、
として機能させ、
前記決定手段は、前記処理モードがシミュレーションモードであった場合に、前記シミュレーションモードの条件に基づいて広告の出力態様を決定することを特徴とするプログラム。
【手続補正書】
【提出日】平成29年4月20日(2017.4.20)
【手続補正１】
【補正対象書類名】明細書
【補正対象項目名】００１４
【補正方法】変更
【補正の内容】
【００１４】
請求項７に記載の発明は、
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードが本番モードであった場合に、事前のシミュレーションモード時に前記提供ステップで提供された広告に対するユーザ操作に基づいて、出力する広告の内容を決定することを特徴とする情報処理方法である。
請求項８に記載の発明は、
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
前記情報処理装置の制御部が、前記処理モードが本番モードであった場合に、事前のシミュレーションモード時に前記提供ステップで提供された広告に対するユーザ操作に基づいて、前記広告に係る場所を経由地として設定する経由地設定ステップと、
を含む情報処理方法である。
請求項９に記載の発明は、
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードがシミュレーションモードであった場合に、前記シミュレーションモードの条件に基づいて広告の出力態様を決定することを特徴とする情報処理方法である。
【手続補正２】
【補正対象書類名】特許請求の範囲
【補正対象項目名】請求項７
【補正方法】変更
【補正の内容】
【請求項７】
目的地までの経路探索を行い、探索結果に応じて誘導経路を案内するナビゲーション処理を実行する情報処理装置の情報処理方法において、
前記情報処理装置の制御部が、前記ナビゲーション処理の処理モードに基づいて、広告の出力態様を決定する決定ステップと、
前記情報処理装置の制御部が、前記決定された出力態様に基づいて、前記広告を提供する提供ステップと、
を含み、
前記決定ステップは、前記処理モードが本番モードであった場合に、事前のシミュレーションモード時に前記提供ステップで提供された広告に対するユーザ操作に基づいて、出力する広告の内容を決定することを特徴とする情報処理方法。